(57)【要約】【課題】ユーザーがその都度空のパッケージを目視しながら、音楽、映像等の記録情報を無作為に、極めて簡単に再生することを可能にする。【解決手段】ユーザーが予め複数のディスクパッケージ内の複数のディスク１をディスクチェンジャー６内に取り込んでおき、その後に、ユーザーが再生したいと思う空のディスクパッケージ２をクレードル８上に載置して、その空のディスクパッケージの認識ラベル４をクレードル８で読み取ると、その認識ラベル４に対応（関連付け）されている特定のディスク１がディスクチェンジャー６からディスクプレーヤーに自動的に取り出されて再生されるシステム。【選択図】図３
2005235297.tif 000002
【特許請求の範囲】
【請求項１】
記録媒体が収納されたパッケージと、
前記記録媒体に記録されている記録情報を前記パッケージに表示する記録情報表示手段と、
前記パッケージ内の前記記録媒体が複数取り込まれ、これら複数の記録媒体をプレーヤーに対して自動交換しながら、該プレーヤーによって各記録媒体に記録されている記録情報を再生するチェンジャーと、
前記記録媒体が取り込まれて空となった前記パッケージの記録情報表示手段に表示されている記録情報を読み取ることにより、その読み取られた記録情報が記録されている特定の前記記録媒体を前記チェンジャーによって前記プレーヤーへ自動装填して再生するパッケージの記録情報読取り手段とを備えた
ことを特徴とするパッケージを使用して記録媒体の自動再生を行うシステム。
【請求項２】
前記記録媒体がディスク状記録媒体である
ことを特徴とするパッケージを使用して記録媒体の自動再生を行うシステム。
【請求項３】
前記情報読取り手段が、前記空のパッケージを載置することにより、そのパッケージの前記記録情報を個別に読み取ることができるクレードルに構成されている
ことを特徴とする請求項１に記載のパッケージを使用して記録媒体の自動再生を行うシステム。
【請求項４】
前記記録情報表示手段が、バーコード情報、光記録情報、磁気記録情報、点字記録情報等によって前記記録媒体の記録情報を表示する
ことを特徴とする請求項１に記載のパッケージを使用して記録媒体の自動再生を行うシステム。
【請求項５】
複数の記録情報が記録された記録媒体と、
前記記録媒体が収納されたパッケージと、
前記記録媒体に記録されている前記複数の記録情報を前記パッケージに表示する記録情報表示手段と、
前記パッケージ内の前記記録媒体が複数取り込まれ、これら複数の記録媒体をプレーヤーに対して自動交換しながら、該プレーヤーによって各記録媒体に記録されている記録情報を再生するチェンジャーと、
前記記録媒体が取り込まれて空となった前記パッケージの記録情報表示手段に表示されている複数の記録情報を読み取ることにより、その読み取られた記録情報が記録されている記録媒体を特定する記録情報読取り手段と、
前記プレーヤーに設けられて、前記記録媒体読取り手段によって読み取られた複数の記録情報を表示すると共に、その複数の記録情報の中から１つ又は複数の記録情報が選択されることによって、その選択された記録情報が記録されている前記記録媒体を前記チェンジャーによって前記プレーヤーへ自動装填して、その選択された１つ又は複数の記録情報を再生する記録情報表示及び選択手段とを備えた
ことを特徴とするパッケージを使用して記録媒体の自動再生を行うシステム。
【請求項６】
前記記録媒体がディスク状記録媒体である
ことを特徴とする請求項５に記載のパッケージを使用して記録媒体の自動再生を行うシステム。
【請求項７】
前記情報読取り手段が、前記パッケージを載置することにより、そのパッケージの前記記録情報を個別に読み取ることができるクレードルに構成されている
ことを特徴とする請求項５に記載のパッケージを使用して記録媒体の自動再生を行うシステム。
【請求項８】
前記記録情報表示手段が、バーコード情報光記録情報、磁気記録情報、点字記録情報等によって前記記録媒体の記録情報を表示する
ことを特徴とする請求項５に記載のパッケージを使用して記録媒体の自動再生を行うシステム。
【請求項９】
多量の記録情報を送信可能なネットワークに前記プレーヤーがインターネット等の送受信手段によって接続され、
前記チェンジャー内に取り込まれていない前記記録手段の空の前記パッケージの記録情報表示手段に表示されている記録情報を前記記録情報読取り手段で読み取ることによって、その記録情報を前記ネットワークから前記プレーヤーにダウンロードして再生するネットワークシステムを備えた
ことを特徴とする請求項１又は請求項５に記載のパッケージを使用して記録媒体の自動再生を行うシステム。
【発明の詳細な説明】
【技術分野】
【０００１】
本発明は、ＤＶＤ−ＲＯＭ、ＢＤ−ＲＯＭ等の読み出し専用メモリーである記録媒体に記録されている映像情報、音楽情報、その他の各種データ（会話教育情報、文字情報等）の各種の記録情報を空のパッケージを利用して、極めて簡単に再生することができるパッケージを使用して記録媒体の自動再生を行うシステムに関するものである。
【背景技術】
【０００２】
従来、例えば、映像、音楽、データ等のプログラムを再生するチェンジャー式ＣＤプレーヤーにおいて、  ユーザーが各ＣＤの収納場所を記憶しておかなくても、ＣＤの種類に応じて、予めプログラムに従って再生することができるようにすることを目的として、収納された全てのＣＤのタイトルを含むディスク管理情報を読取り手段によって記憶手段に記憶しておく。そして、制御手段によってＣＤの全てをタイトル毎に所定の順番で再生するようにしたもの（例えば、特許文献１）が知られている。
【特許文献１】特許第３１７２６３６号公報
【発明の開示】
【発明が解決しようとする課題】
【０００３】
解決しようとする問題点は、ＣＤを種類に応じて、予め設定されたプログラムに従って再生するものであるために、ユーザーが、例えば、その時の気分等に応じて音楽、映像等を無作為に再生することができない点である。
【課題を解決するための手段】
【０００４】
本発明は、ユーザーが、例えば、その時の気分等に応じて、映像、音楽、その他の各種データ等の記録情報を無作為に、しかも、極めて簡単にして、明確な操作によって再生することができるパッケージを使用して記録媒体の自動再生を行うシステムを提供することを特徴とする。
【発明の効果】
【０００５】
本発明のパッケージを使用して記録媒体の自動再生を行うシステムは、ユーザーが、記録媒体が収納されていた空のパッケージに表示されている記録情報表示手段を記録情報読取り手段で読み取らせるだけの極めて簡単にして明確な操作を行うと、チェンジャーがその読み取った記録情報が記録されている特定の記録媒体をプレーヤーへ自動装填して再生するので、ユーザーは、その都度空のパッケージを目視しながら、音楽、映像等の記録情報を無作為に、しかも、極めて簡単に再生することができる。
【発明を実施するための最良の形態】
【０００６】
記録媒体の記録情報表示手段を簡単に読み取るという目的を、空のパッケージをクレードルに載置することにより、その記録情報を個別に読み取ることで実現した。
記録媒体の記録情報表示手段を明確に読み取ることができるという目的を、その記録情
報表示手段として、バーコード情報、光記録情報、磁気記録情報、点字記録情報等を採用することで実現した。
【実施例１】
【０００７】
本発明のパッケージを使用して記録媒体の自動再生を行うシステムとしては、ビデオテープカセット等のテープ状記録媒体を使用して映像情報、音楽情報その他の各種データを自動再生するシステムに使用可能であるが、この実施例では、ディスク状記録媒体を自動再生するシステムについて説明する。
【０００８】
まず、図１は、記録媒体であるディスク１が出し入れ可能に収納されたパッケージとしてのディスクパッケージ２を示したものであり、ディスク１としては例えばＤＶＤ−ＲＯＭ、ＢＤ−ＲＯＭ等の書き込み専用メモリーが使用されている。
そして、ディスクパッケージ２の表面２ａには映像情報、音楽情報、その他の各種データ（会話教育情報、文字情報等）のディスク１に記録されている各種の記録情報のタイトル３等が印刷等にて表示される一方、パッケージ２の裏面２ｂには認識ラベル４が印刷や貼付等にて形成されている。そして、この認識ラベル４がディスク１に記録されている記録情報を表示する記録情報表示手段に構成されていて、この認識ラベル４には、バーコード情報、光記録情報、軸記録情報、点字記録情報等によって各ディスク１の記録情報が表示されている。
【０００９】
次に、図２及び図３は、本発明のパッケージを使用して記録媒体の自動再生を行うシステムの実施例１の全体を示したものであって、チェンジャーであるディスクチェンジャー６はプレーヤーであるディスクプレーヤー７を備えていて、ディスクプレーヤー７にはパッケージ２の認識ラベル４に表示されている記録情報の読取り手段であるクレードル８が備えられている。
【００１０】
そこで、本発明のパッケージを使用して記録媒体の自動再生を行うシステムの使用方法を説明する。
初めに、図２に示すように、ユーザーは複数のディスクパッケージ２内の複数のディスク１を１枚ずつ取り出してディスクプレーヤー７のディスク出入口１０に順次挿入する。
すると、ディスクプレーヤー７は複数のディスク１の記録情報を順次読み取った後に、その複数のディスク１をディスクチェンジャー６がそれぞれ特定された収納位置（ディスクトレー）に順次収納し、ディスクプレーヤー７は各ディスク１の収納位置を記憶して、ディスク１の取り込み操作が終了する。
【００１１】
次に、ディスク１の自動再生（自動演奏）操作を図３に基づき、図４のフローチャートを参照しながら説明する。
ユーザーが希望する空のディスクパッケージ２の認識ラベル４を下向きにした状態で、その空のディスクパッケージ２をクレードル８上に載置する（Ｓ００１）。
すると、クレードル８によって認識ラベル４に表示されている記録情報が読み取られて、その記録情報が記録されているディスクチェンジャー６内の特定のディスク１とクレードル８上の空のパッケージ２との関連付けが自動的に行われる（Ｓ００２）。
【００１２】
そして、認識ラベル４に表示されている記録情報と特定のディスク１との関連付けが行われると、システムは、ディスク１の再生を行うか否かを音声案内や文字表示等によってユーザーに促す（Ｓ００３）。
そして、ユーザーがディスクプレーヤー７の再生釦等を押す等して、システムに再生の意志を入力すると、ディスクチェンジャー６が先の関連付けが行われている特定のディスク１をプレーヤー７へ自動的に取り出して、その特定のディスク１に記録されている映像、音楽、その他のデータ等を自動再生する（Ｓ００４）。
なお、システムがユーザーにディスク１の再生を促した（Ｓ００３）後に、ユーザーが応答を行わなかった時（ディスクプレーヤー７の再生釦等を押さなかった時）には、システムはディスク１の再生を行わずに、終了（Ｓ００５）することになる。
【００１３】
一方、前記工程（Ｓ００２）において、システムが認識ラベル４とディスク１との関連付けを行った結果、認識ラベル４に表示されているディスク１がディスクチェンジャー６内に収納されていないことが判明した時には、システムは、その認識ラベル４に対応したディスク１をディスクチェンジャー６内に入ることを音声案内や文字表示等によってユーザーに促す（Ｓ００６）。
そこで、ユーザーが認識ラベル４に対応した特定のディスク１を前述したようにディスクチェンジャー６内に挿入することにより、認識ラベル４とディスク１の関連付けが完了する（Ｓ００７）。
【００１４】
すると、前記工程（Ｓ００３）と同様に、システムは、ディスク１の再生を行うか否かを音声案内や文字表示等によってユーザーに促し（Ｓ００８）、ユーザーが再生釦を押す等して、システムに再生の意志を入力すると、ディスクチェンジャー６が先の関連付けが行われている特定のディスク１をプレーヤー７へ自動的に取り出して、その特定のディスク１に記録されている映像、音楽、その他のデータ等を自動的に再生する（Ｓ００９）。
そして、前記工程（Ｓ００５）と同様に、システムがユーザーにディスク１の再生を促した（Ｓ００８）後に、ユーザーが応答を行わなかった時には、システムはディスク１の再生を行わずに終了（Ｓ０１０）する。
【００１５】
なお、図３に示すように、映像、音楽、その他のデータ等の多量の記録情報を送信可能なネットワーク１２にディスクプレーヤー７をネットワーク回線等の送受信手段１３によって接続しておくことにより、ディスクチェンジャー６内に取り込まれていないディスク１の空のディスクパッケージ２をクレードル８上に載置して、そのディスクパッケージ２の認識ラベル４を読み取ることによって、ネットワーク１２からディスク１の記録情報をディスクプレーヤー７にダウンロードして再生するネットワークシステムを構成することができる。
【産業上の利用可能性】
【００１６】
以上、本発明の実施例に付き述べたが、本発明は上記した実施例に限定されることなく、本発明の技術的思想に基づいて各種の変更が可能である。
例えば、記録媒体はテープ状記録媒体（テープカセット）、ディスク状記録媒体（ディスクカートリッジ或いは裸のディスク）であっても良く、パッケージは箱型、袋状、その他の如何なる形状のものであっても良い。従って、プレーヤー及びチェンジャーはテープ状記録媒体、ディスク状記録媒体に対応する如何なる構成のものでも良い。
【図面の簡単な説明】
【００１７】
【図１】本発明のディスクパッケージの表裏を表わした斜視図である。
【図２】本発明のシステムを説明する斜視図である。
【図３】本発明のシステムの使用方法を説明する斜視図である。
【図４】本発明のシステムの使用方法を説明するフローチャートである。
【符号の説明】
【００１８】
１    記録媒体（ディスク状記録媒体）であるディスク
２    パッケージであるディスクパッケージ
３    ディスクパッケージのタイトル
４    ディスクパッケージの記録情報表示手段である認識ラベル
６    チェンジャーであるディスクチェンジャー
７    プレーヤーであるディスクプレーヤー
８    記録情報読取り手段であるクレードル
１０  ディスク出入口
１２  ネットワーク
１３  送信手段
【図１】
2005235297.tif 000003
【図２】
2005235297.tif 000004
【図３】
2005235297.tif 000005
【図４】
2005235297.tif 000006